Podtech/llm-jp-corpus-v4-ja_patent huggingface dataset:
(57)【要約】      （修正有）【課題】ツナ缶詰の缶汁・油を充分にきって使用する際、きわめて短い時間で、安全かつ簡単にできる器具を提供する。【解決手段】ツナ缶詰の蓋より僅かに小さな大きさの円形の薄板に多孔を設けたものをプレス部１とし、その円周近辺の対向する２箇所に、垂直に立ち上がり途中から外側に広がるコの字型の取っ手部２を設けたツナ缶詰用缶汁・油搾り器である。また同様のプレス部の円周辺上の対向する両端から垂直方向に立ち上がり中央に向かって半円をえがく取っ手部２を設けてなるものもある。【選択図】図１
0003110629.tif 000002
【実用新案登録請求の範囲】
【請求項１】
ツナ缶詰の缶蓋より僅かに小さな大きさの円形の薄板に多数の小孔を設けたものをプレス部とし、該プレス部の円周辺近傍の任意の位置とそれに対向する位置の２箇所に、垂直に立ち上がる取っ手部を設けてなるツナ缶詰用缶汁・油搾り器。
【請求項２】
請求項１のプレス部の円周辺近傍の対向する２箇所に、垂直に立ち上がり途中から外側に広がるコの字型の取っ手部を設けてなるツナ缶詰用缶汁・油搾り器。
【請求項３】
請求項１のプレス部の円周辺近傍上の対向する２箇所から、垂直方向に立ち上がり中央に向かって半円をえがく取っ手部を設けてなるツナ缶詰用缶汁・油搾り器。
【考案の詳細な説明】
【技術分野】
【０００１】
本考案は、ツナ缶詰の缶汁・油を搾るための器具に関する物である。
【背景技術】
【０００２】
ツナ缶詰の缶汁・油をきって用いるためには、開けた缶蓋を指で缶詰の内側に押しつけて傾ける方法が用いられていると思われる。更に充分に缶汁・油をきるためには、缶詰の中身をザル等にあけてしばらく放置する方法、または使い捨てのキッチンペーパー等に包んで手で搾る方法など知られている。
【０００３】
【特許文献１】特開２０００−１８４９７２号公報
【特許文献２】特開２００２−２６３０１３号公報
【考案の開示】
【考案が解決しようとする課題】
【０００４】
上記の従来公知の技術にあっては、開けたツナ缶詰の缶蓋を指で缶詰の内側に押しつけて傾ける方法では、缶汁・油を充分にきるのは困難である上、缶蓋で指を切ってしまう危険性もある。そこで缶汁・油を充分にきるためにツナ缶詰の中身をザル等にあける方法を用いる場合、放置する時間が多少必要になるうえ、落ちきらない余分な缶汁・油を搾るためにスプーンで押しつける等の手間がかかり、さらにザルからツナを取り出す際に多少の取り残しも生じる。そのうえ缶汁・油のついたそれらザルやスプーンなどを洗う必要もある。その際、ザルの網目にツナの細片が絡みついた状態の場合は洗い落とす手間が更にかかる。また、使い捨てのキッチンペーパー等に包み手で搾る方法の場合も、搾り終えてペーパーからツナを残らず取り出すことは難しく、また手も缶汁・油で汚れるため、洗剤でよく洗う必要がある。本考案は上記問題を解決するツナ缶詰の缶汁・油を搾るための器具を提供することを課題とするものである。
【課題を解決するための手段】
【０００５】
蓋を開けたツナ缶詰本体を用い最小限の大きさ・形状の器具で上記の課題を解決するために、本考案はツナ缶詰の缶蓋より僅かに小さな大きさの円形の薄板に多数の小孔を設けたプレス部の円周辺近傍の上面において対向する２箇所に、垂直に立ち上がり途中から外側に広がるコの字型の取っ手部を設けてなるツナ缶詰用缶汁・油搾り器である。また同様のプレス部の円周辺近傍上の対向する両端から、垂直方向に立ち上がり中央に向かって半円をえがく取っ手部を設けてなるものでもある。
【考案の効果】
【０００６】
本考案により、きわめて短い時間で安全かつ簡単に効率よく充分に缶汁・油をきることが出来る。ザル等に中身を移す際には生じる取り残しもなく、また缶汁・油で汚れるのは缶蓋ほどの大きさのこの器具だけで済むため、洗浄などの後始末も容易である。
【考案を実施するための最良の形態】
【０００７】
ツナ缶詰の缶汁・油が排出されるプレス部については、缶の蓋より僅かに小さい大きさの円形の薄板とし、ツナの細片が絡みにくくするためにパンチング状が好ましい。パンチングの穴の大きさについては、ツナの細片がこぼれ落ちない程度の大きさとする。また、取っ手部は、缶汁・油を排出させる際に持ちやすいように、角のない形状であることが好ましい。さらに、洗浄のしやすさを考慮し、プレス部と取っ手部の接合部は凹凸のない即ち一体成型であることが望ましい。
【実施例１】
【０００８】
以下、本案について図をもとに実施の形態について説明する。    
図１が示す実施例は、ツナ缶詰の缶蓋より僅かに小さな大きさの円形の薄板に多数の小
孔を設けたプレス部１の円周近辺の対向する２箇所に垂直に立ち上がり途中から外側に広
がる角のないコの字型の取っ手部２を固定したものである。ツナ缶詰の蓋を開けた後、中
身の入ったままのツナ缶詰本体３にこの器具をのせ、図２のように取っ手部２に親指をか
け、他の指でツナ缶詰本体３の底を押さえた状態でシンク等の上で傾けることにより缶
汁・油だけが排出される。さらに指で加圧することにより余分な缶汁・油を搾り出すこと
ができる。
【実施例２】
【０００９】
図３が示す実施例は、同様のプレス部１に１本の丸棒材からなる半円形の取っ手部２を垂直に立てて固定したものである。ツナ缶詰の蓋を開けた後、中身の入ったままのツナ缶詰本体３にこれをのせ、図４のように片手に缶詰本体３をもち、もう一方の手でこの器具をのせ同様に作業をすることもできる。
【００１０】
取っ手部２については、前述のように一体成形以外にもプレス部1とは別体に設けて両者を接着等で固定しても構わない。
【図面の簡単な説明】
【００１１】
【図１】１実施例を示す斜視図である。
【図２】図１における使用状態図である。
【図３】２実施例を示す斜視図である。
【図４】図３における使用状態図である。
【符号の説明】
【００１２】
１    プレス部
２    取っ手部
３    ツナ缶詰本体
【図１】
0003110629.tif 000003
【図２】
0003110629.tif 000004
【図３】
0003110629.tif 000005
【図４】
0003110629.tif 000006
(57)【要約】【課題】  納骨の際、或いは、既に収容されている骨壺を取り出す際の負担を大幅に軽減することができるスライド棚付きカロートを提供する。【解決手段】  本考案のスライド棚付きカロート１は、壁石２ａ，２ｃに溝４，４が形成され、この溝４，４に両側縁３ｂ，３ｄを嵌合させることにより、中段において棚板３が水平方向へ摺動自在に保持されている。尚、棚板３には、長溝３ａ（或いは貫通孔）からなる把持部が形成されている。また、棚板の両側縁３ｂ，３ｄには、ローラー５，５が配置されている。【選択図】  図１
0003110631.tif 000002
【実用新案登録請求の範囲】
【請求項１】
中段において棚板が水平方向へ移動可能なように保持されていることを特徴とする、スライド棚付きカロート。
【請求項２】
前記棚板に、長溝或いは貫通孔からなる把持部が形成されていることを特徴とする、請求項１に記載のスライド棚付きカロート。
【請求項３】
前記棚板の両側縁に、ローラーが配置されていることを特徴とする、請求項１又は請求項２に記載のスライド棚付きカロート。
【考案の詳細な説明】
【技術分野】
【０００１】
本考案は、墓石の地下に埋設され、或いは、墓石の再下段に配置されるカロート（納骨室）に関する。
【背景技術】
【０００２】
墓地や霊園等に設置される墓は、通常、区画（敷地）の中央のやや奥まった位置にカロートを埋設し、その上に墓石を載置するという構成になっている。また、敷地面積の小さい墓地等においては、カロートを埋設せずに、地上最下段にカロートを設置し、その上に墓石を載置するというスタイルの墓が設置されることもある。
【０００３】
カロートには、遺骨を収容した骨壺が収められることになるが、限定されたスペースを有効に利用できるように、従来より各種の工夫がされている。例えば、図３に示すように、中断に棚板５３を配置したカロート５１等が知られている。
【０００４】
尚、図３に示すカロート５１は、中断の奥側において棚板５３が固定されており、最も古い骨壺をまず下段の奥（棚板５３の下）に収め、その後は順次手前側へ向かって新しい骨壺を並べていき、下段が満杯になり次第、棚板５３の上のスペースを使用することになる。
【考案の開示】
【考案が解決しようとする課題】
【０００５】
棚板５３の上のスペースも一杯になってしまった場合、最も古いものから順にカロート５１内から取り出して、スペースを空けるための作業が必要になるが、最も古い骨壺は、棚板５３の下に収容されており、これを取り出すためには、下段の手前側に収容されているすべての（或いは、殆どの）骨壺を取り出す必要があり、大変煩雑である。
【０００６】
本考案は、このような従来のカロートにおける問題を解決すべくなされたものであって、納骨の際、或いは、既に収容されている骨壺を取り出す際の負担を大幅に軽減することができるスライド棚付きカロートを提供することを目的とする。
【課題を解決するための手段】
【０００７】
本考案のスライド棚付きカロートは、中段において棚板が水平方向へ移動可能なように保持されていることを特徴としている。尚、棚板には、長溝或いは貫通孔からなる把持部が形成されていることが好ましい。また、棚板の両側縁には、ローラーが配置されていることが好ましい。
【考案の効果】
【０００８】
本考案のスライド棚付きカロートは、中段の棚板を水平方向へ自在に移動させることができるので、納骨の際、或いは、古い骨壺を取り出す際の負担を大幅に軽減することができる。また、棚板の側縁にローラーを取り付けた場合には、摩擦抵抗を低減できるので、棚板の上にいくつかの骨壺を載せたままの状態で、水平方向へ簡単に移動させることができる。
【考案を実施するための最良の形態】
【０００９】
以下、添付図面に沿って、本考案の「スライド棚付きカロート」を実施するための最良の形態について説明する。図１は、本考案のカロート１の切欠斜視図である。図示されているようにこのカロート１は、四枚の壁石２ａ〜２ｄを矩形状に組み合わせるとともに、その上段に四枚の壁石２ｅ〜２ｈを矩形状に組んで積み上げた構造となっている。また、これら八枚の壁石２のうち、下段において対向する一対の壁石２ａ，２ｃの内側上方には、水平方向へ延在する平行な溝４，４がそれぞれ形成されている。そして、カロート１の中段には、棚板３が、壁石２ａ，２ｃの溝４，４内に両側縁３ｂ，３ｄが嵌合するような状態で保持されている。
【００１０】
棚板３の幅寸法は、溝４，４が形成されている一対の壁石２ａ，２ｃの離間寸法よりも若干大きく設定され、長さ寸法は、壁石２ａ，２ｃとそれぞれ隣接する一対の対向する壁石２ｂ，２ｄの離間寸法の約半分の大きさに設定されている。また、溝４，４の延在寸法は、対向する一対の壁石２ｂ，２ｄの離間寸法とほぼ一致している。更に、溝４，４の高さ寸法は、嵌合される棚板３の両側縁３ｂ，３ｄの厚さ寸法よりも僅かに大きく設定されている。
【００１１】
従って、溝４，４内に両側縁３ｂ，３ｄを嵌合させた棚板３は、カロート１の中段に保持された状態で、溝４，４の延在方向へ（後端縁３ｅが奥側の壁石２ｄに接する位置から、前端縁３ｃが手前側の壁石２ｂに接する位置まで）自在に摺動させることができる。
【００１２】
このため、カロート１内に多数の骨壺を収容することができるほか、収容されている骨壺のうち、最も古いものを取り出す際の負担を大いに軽減することができる。より具体的に説明すると、従来の棚板付きカロートは、最も古い骨壺を取り出そうとする場合に、その手前側に収容されているすべての（或いは、殆どの）骨壺を取り出す必要があったが、本実施形態のカロート１においては、棚板３を自在に移動させることができるので、取り出そうとする骨壺がカロート１内のどの位置に収容されていても、他の骨壺を取り出すことなく、目的の骨壺のみを簡単に取り出すことができる。
【００１３】
尚、本実施形態においては、棚板３の前端縁３ｃ付近に半月状の長溝３ａ（把持部）が形成されているため、この部分を掴んで引っ張ることにより、棚板３を簡単に移動させることができる。尚、長溝３ａの代わりに、貫通孔を形成しても良い。また、後端縁３ｅ付近に長溝或いは貫通孔等を形成することもできる。
【００１４】
更に、図２に示すように、棚板３の側縁３ｄ（及び、反対側の側縁３ｂ）にローラー５，５を取り付けた場合には、摩擦抵抗を低減することができるので、より簡単に棚板３を移動させることができる。
【図面の簡単な説明】
【００１５】
【図１】本考案に係るカロート１の切欠斜視図。
【図２】側縁３ｄにローラー５，５を取り付けた棚板３の構成例の説明図。
【図３】従来のカロート５１の切欠斜視図。
【符号の説明】
【００１６】
１，５１：カロート、
２，２ａ〜２ｈ：壁石、
３，５３：棚板、
３ａ：長溝、
３ｂ，３ｄ：側縁、
３ｃ：前端縁、
３ｅ：後端縁、
４：溝、
５：ローラー
【図１】
0003110631.tif 000003
【図２】
0003110631.tif 000004
【図３】
0003110631.tif 000005
(57)【要約】      （修正有）【課題】消火効果の高い消火器のノズル装置の提供。【解決手段】固定座２及び中空ロッド３を具え、該固定座はスピーカ状を呈し、後端内側に雌ネジが設けられ、該ロッドは前端に複数の噴射孔３１が設けられ、並びに内側にこれら噴射孔に対応する凹溝が設けられ、後端に雄ネジが設けられ、ロッドが固定座に螺合されてノズルが形成されて消火器に固定され、消化剤を噴射孔より平均して送出し乱流を発生せず、且つ均一な量で火焔に向けて噴射でき、消火効果を高めることができる。【選択図】図３
0003110615.tif 000002
【実用新案登録請求の範囲】
【請求項１】
固定座とロッドを具え、
該固定座は中空スピーカ状を呈し、その後端内側に雌ネジが設けられ、
該ロッドは中空状を呈し、その前端表面に複数の噴射孔が環状に配設され、並びに前端内側にこれら噴射孔に対応する径方向凹溝が設けられ、後端に雄ネジが設けられ、
該固定座と該ロッドが組み合わされ、該ロッドが雄ネジで固定座に螺合されて、その前端が固定座の前端開口より露出してノズルが形成され、該ノズルが消火器に螺合されて消化剤が扇形を呈するように均一に噴射され、並びに乱流の発生が防止されて消火機能が向上されたことを特徴とする、消火器のノズル装置。
【考案の詳細な説明】
【技術分野】
【０００１】
本考案は一種の消火器のノズル装置に係り、特に泡沫、乾燥粉、液体消化剤に適用され、且つ平均したスプレー効果を有して消火効果の高い消火器のノズル装置に関する。
【背景技術】
【０００２】
一般に消火器は図１に示されるように、消火器１の上方にノズル１１が設けられ、使用時にはハンドル１２上方のプッシュレバー１３の押圧により内部に保存された消化剤をノズル１１より外向きに噴射する。周知の消火器１のノズル１１は中空状を呈し、末端に雄ネジ１１１が設けられて消火器１に螺合され、このようなノズル１１は泡沫、乾燥粉には適用されるが、液体消化剤には使用できず、且つノズル１１は単一の噴射孔しか具備しないため、噴射時に乱流を発生し、消火効果が不良となり、理想的でない。
【考案の開示】
【考案が解決しようとする課題】
【０００３】
本考案の主要な目的は、一種の消火器のノズル装置を提供することにあり、それは、ノズルを泡沫、乾燥粉、液体消化剤に適用可能とし、且つ噴射時に均一に噴射でき乱流の発生を防止でき、消火効果が高いものとする。
【０００４】
本考案の消火器のノズル装置は、固定座及び中空ロッドを具え、該固定座はスピーカ状を呈し、後端内側に雌ネジが設けられ、該ロッドは前端に複数の噴射孔が設けられ、並びに内側にこれら噴射孔に対応する凹溝が設けられ、後端に雄ネジが設けられ、ロッドが固定座に螺合されてノズルが形成されて消火器に固定され、消化剤を配列された噴射孔及び凹溝により平均して外向きに噴射でき、消火効果が高められる。
【課題を解決するための手段】
【０００５】
請求項１の考案は、固定座とロッドを具え、
該固定座は中空スピーカ状を呈し、その後端内側に雌ネジが設けられ、
該ロッドは中空状を呈し、その前端表面に複数の噴射孔が環状に配設され、並びに前端内側にこれら噴射孔に対応する径方向凹溝が設けられ、後端に雄ネジが設けられ、
該固定座と該ロッドが組み合わされ、該ロッドが雄ネジで固定座に螺合されて、その前端が固定座の前端開口より露出してノズルが形成され、該ノズルが消火器に螺合されて消化剤が扇形を呈するように均一に噴射され、並びに乱流の発生が防止されて消火機能が向上されたことを特徴とする、消火器のノズル装置としている。
【考案の効果】
【０００６】
本考案はスピーカ状の固定座に、環状に配設された噴射孔及び凹溝を具えたロッドが組み合わされることで、消火器を異なる消化剤に適用可能とし、且つ使用時に均一に噴射して高い消火効果を達成でき、実用性、新規性を有している。
【考案を実施するための最良の形態】
【０００７】
図２、３、４、５に示されるように、本考案は固定座２とロッド３を具え、そのうち、固定座２は中空スピーカ状を呈し、後端内側に雌ネジ２１が設けられている。
【０００８】
該ロッド３は中空状に設けられ、その前端表面の周りに複数の噴射孔３１が環状に配置され、並びに前端内側にこれら噴射孔３１に対応する径方向の凹溝３２が設けられ、後端に雄ネジ３３が設けられ、並びに雄ネジ３３の後端より回転操作部３４が延伸され、該回転操作部３４の後端に雄ネジ３５が設けられている。
【０００９】
前述の部品の組合せにより、ロッド３は雄ネジ３３で固定座２に螺合され、その前端が固定座２の前方開口より露出し、ノズル１００が形成され、雄ネジ３５で消火器１に固定され（図６）、消火器１使用時に、その内部の消化剤がロッド３を通り外向きに噴射され、且つ均一に噴射されて乱流を発生せず、消火効果が高められる。
【００１０】
図７に示されるように、本考案を使用する時、消火器１内の消化剤４はロッド３のチャネルより進入した後に更に前端の噴射孔３１より外向きに噴射され、噴射孔３１は環状に配設され、且つその内側に対応する凹溝３２が設けられているため、消化剤４は凹溝３２より水平方向とされた後に更に固定座２の前端の内斜面により外向きに噴出され、且つ扇形範囲の噴射を呈し、乱流を発生せず、噴射が更に均一となり、消火効果が高められ、且つ噴射孔３１及び凹溝３２の導流作用により泡沫、乾燥粉、液体消化剤のいずれにも適用可能である。
【図面の簡単な説明】
【００１１】
【図１】周知の消火器の立体分解図である。
【図２】本考案の立体分解図である。
【図３】本考案の立体図である。
【図４】本考案の凹溝の構造図である。
【図５】本考案の断面図である。
【図６】本考案の使用実施例図である。
【符号の説明】
【００１２】
１  消火器        ２  固定座        ３２  凹溝
１１  ノズル      ２１  雌ネジ      ３３  雄ネジ
１１１  雄ネジ    ３  ロッド        ３４  回転操作部
１２  ハンドル    ３１  噴射孔      ３５  雄ネジ
１３  プッシュレバー    １００  ノズル
【図１】
0003110615.tif 000003
【図２】
0003110615.tif 000004
【図３】
0003110615.tif 000005
【図４】
0003110615.tif 000006
【図５】
0003110615.tif 000007
【図６】
0003110615.tif 000008
【手続補正書】
【提出日】平成17年2月16日(2005.2.16)
【手続補正１】
【補正対象書類名】明細書
【補正対象項目名】００１１
【補正方法】変更
【補正の内容】
【００１１】
【図１】周知の消火器の立体分解図である。
【図２】本考案の立体分解図である。
【図３】本考案の立体図である。
【図４】本考案の凹溝の構造図である。
【図５】本考案の断面図である。
【図６】本考案の使用実施例図である。
【図７】本考案の使用実施例図である。
【手続補正２】
【補正対象書類名】図面
【補正対象項目名】図７
【補正方法】追加
【補正の内容】
【図７】
0003110615.tif 000009
(57)【要約】      （修正有）【課題】肩から吊下げる携待用バッグ，書類入れは肩から外れ落ち易く、ひったくりにも奪われ易く、又何かの都合で外しておく場合もあり、置き忘れし易いので肌身離さず身につけておく。【解決手段】バッグ、書類入れの吊り掛け紐５の肩付近背面６に取りつけた外れ落ち防止紐７を、横腹８から腹部前面へ掛け廻してから、バッグ等の前部に取付ける。【選択図】なし【実用新案登録請求の範囲】
【請求項１】
吊り掛け紐（５）の肩付近に取付けた外れ落ち防止紐（７）を斜め外側の横腹から腹部前面へ掛け廻してから、バッグ，書類入れ（１）の前取付部（２）へ、ホック，紙挟みにより取付ける、外れ防止装置。
【請求項２】
外れ落ち防止紐の腹部前面掛け廻し部（９）を、ベルト，強いゴム紐（１０）に繋ぎ止める、請求項１記載の外れ防止装置。
【考案の詳細な説明】
【産業上の利用分野】
【０００１】携待用書類入れ，バッグ
【背景技術】
【０００２】近年、特に女性がバッグを肩に乗せ掛け、男性も書類入れ等を肩に掛け携待するのを見受けるが、そのための吊り掛け紐が肩から外れ易く、又肩から外して置き忘れる等の被害もあった。
【考案が解決しようとする課題】
【０００３】肩から外れたり、置き忘れるのを防ぐためにどうするか。
【０００４】携待物が重い時、更に確実に身につけておくためにどうするか。
【課題を解決するための手段】
【０００５】吊り掛け紐５の肩付近背面６に取り付けた外れ落ち防止紐７を斜め外側の横腹８から胴前面へ掛け廻してから、バッグ，書類入れ等の前部吊り掛け紐取付部２へ掛け外し容易に掛け止める。
【０００６】０００４には、外れ落ち防止紐７の胴前面へ掛け廻した部９を胴の腹部下部（腰骨上）に用いるベルト又は強いゴム紐等１０にきつく繋ぎ止める。（前繋ぎゴム紐１１又は紐の長さを調節する）
【作用】
【０００７】外れ防止紐７で吊り掛け紐５の肩付近背面６を、その肩と反対側の胴側面，横腹８へ掛け廻し、胴前面腹部へ掛け廻し（９の部）てから、バッグ，書類入れ１の前部２へ掛け外し容易に取り付けるので、吊り掛け紐５が肩付近（６付近）から外側へ外れ落ち難くなる。
【０００８】０００６により、胴前面（腹）へ掛け廻した部９を、ベルト，強いゴム紐等１０へきつく繋ぎ止めるので、吊り掛け紐５の各部（胴横腹８から腹前面へ掛け廻し部９）がゆるみたるむ事なく、肩付近背面６の部で吊り掛け紐５を胴内方へ引きよせるので、それが外側へ外れ落ち又はずれ動きが無くなる。
【実施例】
【０００９】図面で、頭の後面１２を有する胴の背面の左肩６付近背面からの掛け吊し紐５を、斜右下外側の横腹８から胴前面腹部への掛け渡し部９（点線）により掛け廻した左下部先端を、バッグ，書類入れ１の前取付け部２へ、掛け外し容易に取付けるには、取付け部２の丸輪へ鉤ホックを掛け外しし、又は紙挟みで取付部２の前上角部を挟む。【００１０】バッグ，書類入れ１及び吊り掛け紐５は、皮，布，合成樹脂及び木綿紐、合成繊維紐等を用いる。
【考案の効果】
【００１１】肩に乗せ掛けただけのバッグ，書類入れ１は外れ落ち防止紐７により、肩から外れ落ち難くなり、又ひったくりに合っても簡単には外され難い。
【００１２】ベルト，強いゴム紐等１０に、胴前面掛け廻し部９を取り付けておくと、バッグ，書類入れ１を肌身離さず携待した事になり、バッグ，書類入れ１を肩から外して使用後に置き忘れる事なく携帯し得る。
【図面の簡単な説明】【図１】頭後面１２と胴背面を示す図に吊り掛け紐５を掛け吊す図で、胴前面に掛け廻す部分を点線で示す。
【符号の説明】
１−−−−−バッグ，書類入れ  ２，３−−−（１の前端，後端上部の）取付け部  ５，−−−−吊り掛け紐  ６−−−−−（肩４の付近の）背面（上部）  ７−−−−−外れ落ち防止紐  ８−−−−−横腹  ９−−−−−５の（８から腹前面への）掛け廻し部１０−−−−−ベルト，ゴム紐１１−−−−−前繋ぎゴム紐又は紐１２−−−−−頭の後面
【図１】
0003110602.tif 000002
(57)【要約】【課題】  本考案は、携帯用通信機器を利用した防犯ベルと、自主防犯システムにより、犯罪の抑止、防止、及び緊急時の対応を、容易にするものである。【解決手段】  本考案は、携帯用通信機器に防犯ベル、事前登録した家族、知人に向けたＧＰＳ同時自動発信用システムを装備することにより、犯罪の抑止、防止、及び緊急時の対応を容易にするものである。【選択図】  図１
0003110609.tif 000002
【実用新案登録請求の範囲】
【請求項１】
緊急時に一つの動作で防犯ベルが鳴り、同時に事前に登録しておいた複数の家族、知人にＧＰＳ自動発信装置が作動し、自分の現在位置を知らせる事ができる携帯用通信機器。
【考案の詳細な説明】
【考案の詳細な説明】
【技術分野】
【０００１】  本考案は、普及度の高い携帯用通信機器に、防犯ベルとＧＰＳ自動発信装置を装備することによって、増加の一途を辿る犯罪の抑止と防止を推進する為の携帯用通信機器類に関するものである。
【背景技術】
【０００２】  携帯用通信機器に取り付ける防犯ベルは存在しているが、使い勝手の問題などで普及には至らず、警察への自動通報は悪戯電話の問題で難しいとされていた。
【考案が解決しようとする課題】
【０００３】  防犯ベル単体を持ち歩くことに抵抗があったり、携帯電話取り付け型は両手を使用しなくてはならなかったり等の理由で、普及に至らず、緊急通報も電話をかける、現在位置を知らせるなどの作業があり、緊急時には不適切で、更にＧＰＳ自動発信装置を装備した場合でも、警察、公的機関に向けて発信されると悪戯通報などの弊害が予想される。従って携帯用通信機器に一つの動作で防犯ベルと、事前登録した家族、知人に向けたＧＰＳ自動発信装置が作動する機能を取り付けることにより、前述の問題を解決しようとするものである。
【課題を解決するための手段】
【０００４】  本考案は、普及率の高い携帯用通信機器にボタン叉はセンサーを取り付け、防犯ベルと、事前登録した家族、知人に向け、ＧＰＳ自動発信装置が作動するシステムを装備することによって、問題点を解決している。
【考案実施の形態】
【０００５】  携帯用通信機器に防犯ベルと、ＧＰＳ自動発信装置が同時に作動するボタン叉はセンサーを取り付ける。
【実施例】
【０００６】  以下、添付図柄に従って一実施例を説明する。１は携帯用通信機器、２は防犯ベル、ＧＰＳ同時自動発信用ボタン、携帯用通信機器１を常時携帯し、緊急時に防犯ベル、ＧＰＳ同時自動発信用ボタン２を押す。
【考案の効果】
【０００７】  携帯用通信機器に防犯ベル、ＧＰＳ同時自動発信用ボタン又はセンサーを装備することにより、犯罪の抑止、防止、及び緊急時の対応に役立つ。
【図面の簡単な説明】
【０００８】
【図１】  防犯ベル、ＧＰＳ同時自動発信用ボタンを装備した携帯用通信機器の一実例を示した図である。
【符号の説明】
【０００９】１  携帯用通信機器
２  防犯ベル、ＧＰＳ同時自動発信用ボタン
【図１】
0003110609.tif 000003
(57)【要約】【課題】紙幣の真偽判別を瞬時にできる簡便・安価な判別具の提供。【解決手段】薄肉の透明樹脂シートに１インチ幅に約１００〜１１６本の線数で約２ポイントの細線を適宜に横、縦、斜めに設ける。【選択図】        図１
0003110608.tif 000002
【実用新案登録請求の範囲】
【請求項１】
薄肉の透明樹脂シートに１インチ幅に約１００〜１１６本の線数で約２ポイントの細線を適宜の位置に横、縦、斜めに設けてなる紙幣判別シート
【考案の詳細な説明】
【技術分野】
【０００１】  本考案は、紙幣の真偽判別するために使用できる紙幣判別シートに関するものである。
【背景技術】
【０００２】  近時、偽造紙幣が多数出回りその対策が問題となっている。これはカラーコピー機等の技術の向上によって、目視による紙幣の真偽判別が困難になっていることに起因するものである。【０００３】  紙幣には、偽造が困難な透かし模様、ホログラムや隠しパターン等を設けてそのような偽造の防止を図っている。【０００４】  しかし、このような偽造防止個所を模倣した場合、その真偽判別を目視によって行うことは難しく、判別装置を利用する必要がある。【０００５】  そこで、そのような装置として、特許文献１、２のように光を照射する装置があるが、大掛かりな装置であり支払われた紙幣をその場で判別するために使用することはできなかった。【０００６】  このようなことから、特許文献３，４のような紙幣の透かしによる真偽判別をし、紫外線を照射する小型化した装置がある。【０００７】  しかし、このような装置であっても購買客の面前で使用すると不快感を与えることが考えられ店側としては使用し難く、また、印刷技術の向上により透かしを入れることも可能となっていることから万全のものとはいえないものである。【０００８】
【特許文献１】特開２００４−２３４３５７号公報
【特許文献２】特開２００３−３２３６５６号公報
【特許文献３】特開２００３−２８１５９５号公報
【特許文献４】特開２００３−２５６９０３号公報
【考案の開示】
【考案が解決しようとする課題】
【０００９】  本考案は、上述した従来技術の欠点を除くためになされたものである。即ち、紙幣は、偽造防止のために種々の版式を混用しているが、本考案者は、特に再現困難な万線模様を彫刻凹版で形成していることに着目し、簡易にしかも瞬時に真偽判別ができるようにすることをその目的とするものである。【００１０】  このようにすることによって、紙幣で支払った客の面前でも嫌悪感を抱かせることなく使用でき、しかも真偽判別が瞬時にできるようにするものである。【００１１】  また、携行可能とすることによって、いつでもどこでも即座に使用できるようにしたものである。
【課題を解決するための手段】
【００１２】  このような問題点を解決するために、本考案は、薄肉の透明樹脂シートに１インチ幅に約１００〜１１６本の線数で約２ポイントの細線を適宜の位置に横、縦、斜めに設けてなることを特徴とするものである。
【考案の効果】
【００１３】  本考案は、このような構成であるので、図２のように本考案シート４の細線１１部分を紙幣の肖像部７に重ね置くことによって真札５の場合は、彫刻凹版の個所に陰影ができ肖像部分にモアレ６が出現する。我国の現行紙幣の場合、表面の肖像部周辺が特に出やすい版式となっている。これに対し、平板印刷のカラーコピー機などにより作られている偽札の場合には、陰影が生じないのでモアレが出ず、瞬時に目視による真偽判別ができる。【００１４】  また、平成１６年発行の新紙幣の場合には、表面左下に特定の光を照射しなければ視認できない隠しパターンを設けているが、本考案のシートでは、この部分に乗せるだけでモアレを浮かび上がらせることができ真偽判別が容易にできる。【００１５】  このように紙幣は、偽造防止のために万線模様を特殊な彫刻機械での形成や肖像などを手彫りして凹版印刷する等しているので、それに対応した細線の線数や線方向を決めることとなる。【００１６】  本考案は、このように薄肉の樹脂シートに細線を焼付けるだけであるので安価な紙幣識別用具を提供することができる。【００１７】  シート面の細線は、２ポイントで１インチ幅に線数が１００〜１１６本と細かいものであるため、シートが見えても細線が施されているか否かが気づかれることはない。従って、客に紙幣の判別道具を使用していると気づかれないので接客業でも使用しやすいものである。
【考案を実施するための最良の形態】
【実施例】
【００１８】  実施例について図面を参照して説明すると、図１において、４は、シート本体であって、ポリエステルフィルムのような薄肉の透明樹脂板により形成されている。そして、１は、平成１６年以前の紙幣を識別するための旧札ゾーンであって、２は、平成１６年発行の新札の人物像部分を識別するためのゾーンであって、３は、平成１６年発行の新札の隠しパターンを識別するためのゾーンである。【００１９】  このようにすることによって、新旧紙幣の真偽判別を一つの道具ですることができる。【００２０】  １には、２ポイントの細線１１を横方向に１インチ幅に約１００〜１１６本設けている。２には、２ポイントの細線２１を斜め方向に１インチ幅に約１１０本設けている。３には、２ポイントの細線３１を縦方向に１インチ幅に約１００〜１１６本設けている。【００２１】  細線は、１インチに約１００〜１１６本設けるのが最適であるが、紙幣は種々の版式を混用しているためモアレを出すことができる線幅や線方向などが決められることとなる。【００２２】  本考案シートのソフトを、自動販売機のプログラムに組み込むことによって、自動販売機の偽造紙幣の使用を防止することもできる。【００２３】  ところで、印刷物の上に、本考案の細線と同様の多数の細線で網の目状に八角形の円を構成したスクリーンにより、陰影を利用して９Ｄの立方体印刷が可能となる。【００２４】  即ち、大きさの異なる八角形の円で構成した印刷物の上にスクリーン印刷でベースを作り、その上に八角形のスクリーン印刷をすると放射的に上下の深厚の厚さを表現することができる。
【図面の簡単な説明】
【００２５】
【図１】本考案の平面図である。
【図２】本考案のシートを真札に重ねおいた状態の平面図である。
【符号の説明】
【００２６】  １    旧札ゾーン
２    新札肖像部分ゾーン
３    新札隠しパターンゾーン
４    シート本体
６    モアレ
１１    細線
２１    細線
３１    細線
【図１】
0003110608.tif 000003
【図２】
0003110608.tif 000004
(57)【要約】【課題】下水道管の高さと通りをより能率的かつ安定的に固定し施工の便宜をはかることのできる下水道管用固定具を提供する。【解決手段】下水道管Ａの下側外径に底部と両横がほぼ内接する管支持体１の下端より杭状体２を下方に向けて突出形成して、下水道管用固定具とする。また、管支持体１の底部における横方向中央位置に目印３を設ける。【選択図】図１
0003110605.tif 000002
【実用新案登録請求の範囲】
【請求項１】
下水道管Ａの下側外径に底部と両横がほぼ内接する管支持体１の下端より杭状体２を下方に向けて突出形成して成ることを特徴とする下水道管用固定具。
【請求項２】
管支持体１の底部における横方向中央位置に目印３を設けた請求項１記載の下水道管用固定具。
【考案の詳細な説明】
【技術分野】
【０００１】この考案は、下水道管の高さ及び通りを固定する器具に関する。
【背景技術】
【０００２】下水を処理場に搬送する幹線下水道本管（直径約１ｍ）からは多数の引き込み用下水道管（直径約１５〜２０ｃｍ）が分岐施工されるが、これを土中に埋め込み施工するにあたり、その高さと横方向（通り）の位置を正確に定めてしっかり固定する必要がある。そこで従来は図３のように、掘削完了面に採石や砂を敷き詰め更に下水道管Ａの両横に土砂を詰めた土嚢４を載置して足で踏み固めて固定し、埋設していた。
【考案の開示】
【考案が解決しようとする課題】
【０００３】このような現状において、下水道管の布設作業はその高さと通りの位置設定において高度な精度を要求されており、上記の土嚢などによる固定調整作業では大きな困難があるばかりか、地下水位が高く湧水などがある時には軽い塩ビ管の場合は浮力が働いて浮き上がるなど、施工の能率が悪いという問題点を有していた。【０００４】本考案はかかる問題点を解決して、下水道管の高さと通りをより能率的かつ安定的に固定し施工の便宜をはかることのできる下水道管用固定具を提供することを課題とする。
【課題を解決するための手段】
【０００５】図１、図２に示すように、下水道管Ａの下側外径に底部と両横がほぼ内接する管支持体１の下端より杭状体２を下方に向けて突出形成して、本考案の下水道管用固定具Ｂとする。【０００６】ここでいう両横の「横」とは下水道管Ａの延長方向と上下方向に直角の方向を指すが、底部と両横がほぼ内接するような管支持体１は、図面のような半円状のものが典型的なものとなる。他にステイプル状、半多角形状、ジグザグ弧状なども該当する。【０００７】なお、管支持体１の底部における横方向中央位置に目印３を設けることが非常に好ましい。この目印３は、下水道管Ａの通りの位置決めのための張り糸から吊された分銅（下げ振り）の真下に位置することになる。目印３の具体的な形態は、切れ込み（溝）やインキその他いずれであってもよい。【０００８】管支持体１や杭状体２の材質は特に問わないが、良好な弾力性、強度、及び加工性等を有することから、プラスチックが好ましい。また、杭状体２は図面のような形状に限らず、丸杭状であってもよい。【０００９】なお、下水道管Ａの浮き上がりを防止するために、ゴムバンド（図示せず）を、該管支持体１の両横に架けるように設けてもよい。【００１０】或いは、管支持体１が弾性体である場合は、その両横上端部が半円を越えて上方にかけて狭まるようにすれば、下水道管Ａは管支持体１の両横を故意に広げてその内に収めることはできるが、上方には浮力で逸脱しない形態にすることができる。
【考案の効果】
【００１１】本考案によれば、下水道管布設の際に、張り糸を基準にした位置定めのための分銅（下げ振り）の真下に該管支持体１の目印３を合わせて杭状体２を土中に打ち込み、その後に下水道管Ａを管支持体１上に載置すればよく、その作業工程は土嚢などを用いる場合に比べて著しく簡略かつ容易であると同時に、基準高や通りが決め易く精度も向上し、埋め戻し時の土砂による衝撃に対しても下水道管Ａがずれにくく、さらに水中の据付け、設置も容易にできるなどの効果がある。
【考案を実施するための最良の形態】
【００１２】管支持体１は幅約３０ｍｍ、半径約１２０ｍｍ、肉厚約１０ｍｍの半円状で、その内側底中央部に目印３となる切れ込みを設け、その下方に突出する杭状体２は長さ約３００ｍｍ、太さ約３０×２０ｍの下端尖角柱状で、これらはプラスチックで一体成形される。必要に応じ管支持体１の両横をフック状にして、そこに略半円状のゴムバンドを取り付けるか、或いは該両横を各２〜３０°程度、逆テーパを含む半円以上に形成し、人力でこじ開ければ下水道管Ａが内に収まり得る程度に弾性質のプラスチックで形成する。【００１３】かかる下水道管用固定具Ｂを、予め設けられた張り糸から垂下した下げ振りと目印３が一致する位置に杭打ちし、しかる後に下水道管Ａを収めて、以下、在来通りに埋設施工する。なお本考案はかかる例に限定されるものでないことは言うまでもない。
【産業上の利用可能性】
【００１４】本考案の下水道管用固定具は、前述のように効果が甚大で現場のニーズが高く、制作も在来技術により低コストで量産できるので、産業上の利用可能性は十分であるといえる。
【図面の簡単な説明】
【００１５】
【図１】本考案一例の見取図
【図２】本考案を用いた水道管の施工状態を示す断面図
【図３】在来の下水道管の施工状態を示す断面図
【符号の説明】
【００１６】１……管支持体
２……杭状体
３……目印
４……土嚢
Ａ……下水道管
Ｂ……下水道管用固定具
【図１】
0003110605.tif 000003
【図２】
0003110605.tif 000004
【図３】
0003110605.tif 000005
(57)【要約】【課題】破損し難く、且つ蓋を開かなくても、収納されている薬剤の量的、質的変化や異物混入の有無を容易且つ確実に透視できるようにした薬剤容器を提供する。【解決手段】薬剤２を収納可能な合成樹脂製の容器本体１の表面の一部に、内部を透視することのできる透明部１ａを設ける。【選択図】図１
0003110655.tif 000002
【実用新案登録請求の範囲】
【請求項１】
内部に薬剤を収納し得るようにした容器本体の少なくとも一部に、内部を透視し得るよう透明部を形成したことを特徴とする薬剤容器。
【請求項２】
容器本体は合成樹脂製である請求項１記載の薬剤容器。
【請求項３】
合成樹脂はポリエチレン、ポリプロピレン、ポリスチレン、ポリエチレンテレフタレート、ポリ塩化ビニール等から選ばれた何れかである請求項２記載の薬剤容器。
【考案の詳細な説明】
【技術分野】
【０００１】
本考案は薬剤容器に関するものである。
【背景技術】
【０００２】
錠剤、顆粒剤、液状剤等の薬剤は、薬剤容器に収納されているが、従来の薬剤容器は、ボール紙等の紙製で不透明である。
【考案の開示】
【考案が解決しようとする課題】
【０００３】
しかしながら、薬剤容器が紙製で不透明である場合は、破損し易く、且つ容器本体内部を外から目視できないため、内容物である薬剤の量的、質的変化や容器本体内部への異物混入の有無を確認するには、蓋を開ける必要があり、取扱いが煩わしいという問題がある。
【０００４】
本考案は、斯かる実情に鑑み、破損し難く、且つ容器本体内部に収納されている薬剤の量的、質的変化や異物混入の有無を、蓋を開かなくても外部から容易且つ確実に透視できるようにした薬剤容器を提供することを目的としてなしたものである。
【課題を解決するための手段】
【０００５】
本考案の薬剤容器は、内部に薬剤を収納し得るようにした容器本体の少なくとも一部に、内部を透視し得るよう透明部を形成したものであり、又、本考案の薬剤容器においては、容器本体は合成樹脂製であり、更に、合成樹脂はポリエチレン、ポリプロピレン、ポリスチレン、ポリエチレンテレフタレート、ポリ塩化ビニール等から選ばれた何れかである。
【考案の効果】
【０００６】
本考案の薬剤容器によれば、破損し難いうえ、透明部から内部を透視することにより、容器本体の蓋を開かなくても薬剤の量的、質的変化や容器本体内への異物混入の有無を的確に知ることができ、従って、薬剤の取扱いが便利となるという優れた効果を奏し得る。
【考案を実施するための最良の形態】
【０００７】
以下、本考案の実施の形態を添付図面を参照して説明する。
図１は本考案を実施する形態の一例であり、図中、１は薬剤容器を構成する矩形箱状の容器本体である。容器本体１を形成する素材としては、透明性、防湿性、耐熱性、柔軟性、耐衝撃性等に富んだ合成樹脂が用いられ、例えば、ポリエチレン（ＰＥ）、ポリプロピレン（ＰＰ）、ポリスチレン（ＰＳ）、ポリエチレンテレフタレート（ＰＥＴ）、ポリ塩化ビニール（ＰＶＣ）等から選ばれた何れかである。
【０００８】
而して、容器本体１の表面の一部には、光学的に透明で、容器本体１の内部に収納されている薬剤２の量的、質的変化や容器本体１内への異物混入の有無を透視し確認し得るような窓となる略台形状の透明部１ａが形成され、透明部１ａ以外の部分は、容器本体１の表面に薬剤の商品名、効能、用法、容量等の印刷を施して不透明部１ｂが形成されている。
【０００９】
次に、上記した実施の形態の作動を説明する。
容器本体１は合成樹脂製であるため、取り扱う際に破損し難い。又、透明部１ａから内部を透視することにより、容器本体１の蓋を開かなくても薬剤２の量的、質的変化や容器本体１内に異物が混入しているか否かを的確に知ることができ、従って、薬剤２の取扱いが便利となる。
【００１０】
なお、本考案の薬剤容器は、容器本体の一部に窓状の透明部を設ける場合について説明したが、容器本体全体を透明にすることもできること、容器本体の形状は矩形箱形状に限らず、種々の形状のものに適用することができること、薬剤としては、錠剤、顆粒剤、液状剤等種々の薬剤に対し適用することが可能なこと、透明窓部の形状としては、図１に示す略台形状の他に、三角形状、長方形状、正方形状、丸形状、楕円形状、五角形以上の多角形状等種々の形状を採用することができること、配置薬に適用することもできること、その他、本考案の要旨を逸脱しない範囲内において種々変更を加え得ることは勿論である。
【図面の簡単な説明】
【００１１】
【図１】本考案の薬剤容器の実施の形態の一例の斜視図である。
【符号の説明】
【００１２】
１    容器本体
１ａ  透明部
１ｂ  不透明部
２    薬剤
【図１】
0003110655.tif 000003
(57)【要約】      （修正有）【課題】電池を並列接続することにより、電動装置の振動できる時間がもっと長くする。【解決手段】ハウジング組と、偏芯モータと、コ字形導電性金属片と、スイッチと、二つの水銀電池とを含むサック嵌めリング用電動装置において、下ハウジングの中央には中央溝が設けてあり、下ハウジングの端部には溝が設けてあり、中央溝と溝の間には導電性金属片用溝が設けてあり、偏芯モータは下ハウジングの中央溝に設置され、コ字形導電性金属片とスイッチとがそれぞれ下ハウジングに設けた導電性金属片用溝と溝との内部に設けられ、二つの水銀電池は偏芯モータの両側に設置されるサック嵌めリング用電動装置。【選択図】図２
0003110654.tif 000002
【実用新案登録請求の範囲】
【請求項１】
ハウジング組と、偏芯モータと、コ字形導電性金属片と、スイッチと、二つの水銀電池とを含むサック嵌めリング用電動装置において、
下ハウジングの中央には中央溝が設けてあり、下ハウジングの端部には溝が設けてあり、前記中央溝と溝の間には導電性金属片用溝が設けてあり、前記偏芯モータは下ハウジングの中央溝に設置され、前記コ字形導電性金属片とスイッチとがそれぞれ下ハウジングに設けた導電性金属片用溝と溝との内部に設けられ、二つの水銀電池は偏芯モータの両側に設置されることを特徴とする、
サック嵌めリング用電動装置。
【請求項２】
前記コ字形導電性金属片のより長い辺には、一つの円形凸部と、一つの矩形凸部とが設けてあり、スイッチの左右動により、円形凸部がスイッチに圧迫されて前記金属片が内側へ移動して、矩形凸部が偏芯モータの底部に当接して、電流が前記偏芯モータに流入することを特徴とする、請求項１に記載のサック嵌めリング用電動装置。
【請求項３】
上下ハウジングの底部の両側には、互いに嵌合する円柱体と円形孔とがそれぞれ設けてあることを特徴とする、請求項１に記載のサック嵌めリング用電動装置。
【考案の詳細な説明】
【技術分野】
【０００１】本考案はサック嵌めリング用電動装置に係り、特に、サックの嵌めリングの内部に取り付けられ、小型モータと電池とによって振動効果を発生することにより、性交するときの（公序良俗違反につき、不掲載）を増加するサック嵌めリング用電動装置に関するものである。
【背景技術】
【０００２】セックス知識は普及になり、セックスに関する観念は開放になったが、若者のセックスに対する認識は正確にならなく、多くの若者は短時間の（公序良俗違反につき、不掲載）を追求するが、サックを使用する習慣が身に付かないので、エイズや性病の感染者は増加する一方であり、だから、政府は、「サックを着用した後、セックスをする」と若者に呼びかけている。目下、市販しているサックの種類は極めて多いが、振動式サックは、振動効果により性交するときの面白さを向上することができるので、使用者に愛用されている。図１に示す従来のものは、サックの嵌めリングの内部には一つの電動装置が設けてあり、前記電動装置は、その内部に一つの偏芯モータＡが設けてあり、その底部には一つの水銀電池Ｂが設けてあり、導電性金属片Ｃにより電流が偏芯モータＡに流入して、電動装置全体が継続に振動するが、このような電動装置は１５分間しか振動できなかった。
【考案の開示】
【考案が解決しようとする課題】
【０００３】
本考案の主な目的は、電池を並列接続することにより、電動装置の振動できる時間がもっと長くなるサック嵌めリング用電動装置を提供する。
【課題を解決するための手段】
【０００４】
上記目的を達成するためになされた本願の考案は、ハウジング組と、偏芯モータと、コ字形導電性金属片と、スイッチと、二つの水銀電池とを含むサック嵌めリング用電動装置において、下ハウジングの中央には中央溝が設けてあり、下ハウジングの端部には溝が設けてあり、前記中央溝と溝の間には導電性金属片用溝が設けてあり、前記偏芯モータは下ハウジングの中央溝に設置され、前記コ字形導電性金属片とスイッチとがそれぞれ下ハウジングに設けた導電性金属片用溝と溝との内部に設けられ、二つの水銀電池は偏芯モータの両側に設置されることを特徴とするサック嵌めリング用電動装置であることを要旨としている。
【０００５】
本願の考案では、前記コ字形導電性金属片のより長い辺には、一つの円形凸部と、一つの矩形凸部とが設けてあり、スイッチの左右動により、円形凸部がスイッチに圧迫されて前記金属片が内側へ移動して、矩形凸部が偏芯モータの底部に当接して、電流が前記偏芯モータに流入することを特徴とする請求項１に記載のサック嵌めリング用電動装置であることを要旨としている。
【０００６】
本願の考案では、上下ハウジングの底部の両側には、互いに嵌合する円柱体と円形孔とがそれぞれ設けてあることを特徴とする請求項１に記載のサック嵌めリング用電動装置であることを要旨としている。
【考案の効果】
【０００７】
本考案に係るサック嵌めリング用電動装置によれば、電池を並列接続することにより、電動装置の振動できる時間がもっと長くなる。
【考案を実施するための最良の形態】
【０００８】
以下、添付図面を参照して本考案の好適な実施の形態を詳細に説明する。
【０００９】
まず、図２を参照する。本考案に係るサック嵌めリング用電動装置は、ハウジング組１と、偏芯モータ２と、コ字形導電性金属片３と、スイッチ４と、二つの水銀電池５とを含む。本考案を組合するときには、下ハウジング１２の中央溝１２１に偏芯モータ２を設置し、下ハウジング１２の溝１２２にスイッチ４を設置し、且つ前記中央溝１２１と溝１２２の間には、コ字形導電性金属片３を設置するための導電性金属片用溝１２３が設けてあり、また、コ字形導電性金属片３の中段には円形凸部３１と矩形凸部３２とが設けてあり、スイッチ４の左右動により、円形凸部３１がスイッチ４に圧迫されて前記金属片３が内側へ移動して、矩形凸部３２が偏芯モータ２の底部に当接し、且つ二つの水銀電池５は前記偏芯モータ２の両側にそれぞれ設置され、並列接続された水銀電池５がコ字形導電性金属片３に接触し、コ字形導電性金属片３の矩形凸部３２を介して、電流が前記偏芯モータ２に流入して偏芯モータ２を駆動し、且つ振動は４５分間にも継続する。上ハウジング１１を下ハウジング１２に結合すると、組合作業が完成する。
【図面の簡単な説明】
【００１０】
【図１】従来のものの断面図である。
【図２】本考案の分解斜視図である。
【図３】本考案の組合状態の斜視図である。
【符号の説明】
【００１１】
Ａ        偏芯モータ                  Ｂ        水銀電池
Ｃ        導電性金属片                １        ハウジング組
１１      上ハウジング                １２      下ハウジング
１２１    中央溝                      １２２    溝
１２３    導電性金属片用溝            ２        偏芯モータ
３        コ字形導電性金属片          ３１      円形凸部
３２      矩形凸部                    ４        スイッチ
５        水銀電池
【図１】
0003110654.tif 000003
【図２】
0003110654.tif 000004
【図３】
0003110654.tif 000005